(57)【要約】【課題】  本発明は、異なる二つの開口部を選択的に閉塞可能な二開口部対応ドアユニットを提供することを課題とする。【解決手段】  交差する壁面のそれぞれに設けられた開口幅の異なる開口部を選択的に閉塞する二開口部対応ドアユニットにおいて、二開口部対応ドアユニットを、壁面の交差する箇所に設置される吊元枠と、吊元枠に回動可能に軸支される第一扉と、第一扉に回動可能に軸支される第二扉で構成し、第一扉の吊元側の軸支部を中心軸に第一扉が小開口部側と大開口部間で回動自在とするとともに、第一扉と第二扉が部分的に重合し小開口部を閉じる第一形態と、第一扉と第二扉が直線的な連設形態にて第一扉と第二扉が協働で大開口部を閉じる第二形態とに変形可能とし、開口幅の異なる二つの開口部を選択的に閉じる。【選択図】 図３
2019124006.tif 000002
【特許請求の範囲】
【請求項１】
交差する壁面のそれぞれに設けられた二つの開口部を選択的に閉塞する二開口部対応ドアユニットにおいて、交差する壁面の二つの開口部は、一方の壁面の開口部が大開口部であって、他方の壁面の開口部が大開口部の開口幅より狭い開口幅の小開口部であり、二開口部対応ドアユニットは、壁面の交差する箇所に設置される吊元枠に加え、大開口部を形成する枠体と小開口部を形成する枠体を備えるとともに、吊元枠に回動可能に軸支される第一扉と、第一扉に回動可能に軸支される第二扉で構成することにより、該第一扉の吊元側の軸支部を中心軸に第一扉が小開口部側と大開口部間で回動自在とされるとともに、第一扉と第二扉が部分的に重合し小開口部を閉じる第一形態と、第一扉と第二扉が直線的な連設形態にて第一扉と第二扉が協働で大開口部を閉じる第二形態とに変形可能とされ、開口幅の異なる二つの開口部を選択的に閉じることを特徴とする二開口部対応ドアユニット。
【請求項２】
第二扉が第一扉に軸支される箇所は、第二扉の戸先側と戸尻側間で、かつ、小開口部を閉じた状態の第一形態で、小開口部の出入り方向における大開口部側と反対側に第一扉が位置するとともに、小開口部における大開口部側に第二扉が位置し、第一扉と第二扉が部分的に重合するように設定され、さらに、第二扉は、小開口部の開口幅より幅広に設定されるとともに、第二形態における第二扉の戸先側の上部で、大開口部を形成する上枠ユニットに、大開口部の開口幅方向に移動可能に、かつ、垂直回転軸を軸芯に回動可能に軸支され、第二形態における第二扉の戸先側が、第一形態において、吊元枠の大開口部の出入り方向における小開口部側の反対側面から突出しないように構成されることを特徴とする請求項１に記載の二開口部対応ドアユニット。
【請求項３】
第二扉の大開口部を閉じた状態での戸尻側端面に設けられた操作具の操作により進退可能なラッチと、第一扉の戸先側端面に設けられた扉ラッチ受とが第二形態で係合するとともに、前記ラッチは、第一形態において、小開口部の戸先側に設けられたラッチ受に係合することを特徴とする請求項２に記載の二開口部対応ドアユニット。
【発明の詳細な説明】
【技術分野】
【０００１】
本発明は、主に病室や療養施設の居室内、特にトイレ、洗面所部分に設置され、二つの開口部のうち、何れか一方の開口部を選択的に閉塞する二開口部対応ドアユニットに関するものである。
【背景技術】
【０００２】
トイレ部分と洗面所部分が一体となった洗面空間に設置され、洗面空間の出入口の開口部と、洗面所部分とトイレ部分を分断する開口部の２つの開口部を、選択的に閉塞し、居室空間を有効に利用可能とするドアが古くから知られている。しかしながら、選択的に閉塞される２つの開口部は同じ幅の開口部に限られていた。
【先行技術文献】
【特許文献】
【０００３】
【特許文献１】実開昭５６−１６７６１公報
【発明の概要】
【発明が解決しようとする課題】
【０００４】
本発明は、従来の問題点に鑑みて、異なる開口幅の二つの開口部を選択的に閉塞可能な二開口部対応ドアユニットを提供することを課題とする。
【課題を解決するための手段】
【０００５】
そこで、上記課題を解決する為、本発明が第１の手段として構成したところは、交差する壁面のそれぞれに設けられた二つの開口部を選択的に閉塞する二開口部対応ドアユニットにおいて、交差する壁面の二つの開口部は、一方の壁面の開口部が大開口部であって、他方の壁面の開口部が大開口部の開口幅より狭い開口幅の小開口部であり、二開口部対応ドアユニットは、壁面の交差する箇所に設置される吊元枠に加え、大開口部を形成する枠体と小開口部を形成する枠体を備えるとともに、吊元枠に回動可能に軸支される第一扉と、第一扉に回動可能に軸支される第二扉で構成することにより、該第一扉の吊元側の軸支部を中心軸に第一扉が小開口部側と大開口部間で回動自在とされるとともに、第一扉と第二扉が部分的に重合し小開口部を閉じる第一形態と、第一扉と第二扉が直線的な連設形態にて第一扉と第二扉が協働で大開口部を閉じる第二形態とに変形可能とされ、開口幅の異なる二つの開口部を選択的に閉じるものである。
【０００６】
そこで、上記課題を解決する為、本発明が第２の手段として構成したところは、上記第１の手段に加え、第二扉が第一扉に軸支される箇所は、第二扉の戸先側と戸尻側間で、かつ、小開口部を閉じた状態の第一形態で、小開口部の出入り方向における大開口部側と反対側に第一扉が位置するとともに、小開口部における大開口部側に第二扉が位置し、第一扉と第二扉が部分的に重合するように設定され、さらに、第二扉は、小開口部の開口幅より幅広に設定されるとともに、第二形態における第二扉の戸先側の上部で、大開口部を形成する上枠ユニットに、大開口部の開口幅方向に移動可能に、かつ、垂直回転軸を軸芯に回動可能に軸支され、第二形態における第二扉の戸先側が、第一形態において、吊元枠の大開口部の出入り方向における小開口部側の反対側面から突出しないように構成されるものである。
【０００７】
そこで、上記課題を解決する為、本発明が第３の手段として構成したところは、上記第２の手段に加え、第二扉の大開口部を閉じた状態での戸尻側端面に設けられた操作具の操作により進退可能なラッチと、第一扉の戸先側端面に設けられた扉ラッチ受とが第二形態で係合するとともに、前記ラッチは、第一形態において、小開口部の戸先側に設けられたラッチ受に係合するものである。
【発明の効果】
【０００８】
請求項１に記載の発明によると、二開口部対応ドアユニットは、枠体によって大開口部と小開口部を形成できる。そして、第一扉が回動自在とされているため、該回動によって、交差する壁面のそれぞれに設けられた二つの開口部に対応可能となり、第二扉が、第一扉に回動自在に軸支されているため、第一扉と第二扉が直線的に並び協働で大開口部を閉じることができだけでなく、第一扉と第二扉が部分的に重合することにより小開口部を閉じることができるので、開口幅の異なる二つの開口部を選択的に閉じることが可能となる。
【０００９】
請求項２に記載の発明によると、前記効果に加え、第二扉は、小開口部の開口幅より幅広に設定され、第一形態において、第一扉より大開口部側に位置しているので、第一形態において、第一扉が第二扉の影に隠れたように小開口部の出入り方向における大開口部側に第二扉一枚が露呈している状態であるから、第一形態で第二扉を凹凸の少ない壁面のように使用することができる。
また、第一形態において、第二形態における第二扉の戸先側が、第一形態において、吊元枠の大開口部の出入り方向における小開口部側の反対側に突出しないから、第一形態の状態で、本二開口部対応ドアユニットが設置されている部屋を使用しても、第二扉の戸先側が邪魔にならず、第一形態を基本形態として部屋を使用することができる。
【００１０】
請求項３に記載の発明によると、前記効果に加え、第二形態で第二扉のラッチと第一扉のラッチ受けが係合するので、第一扉と第二扉の直線的な連設形態が維持できる。そして、第一形態で第二扉のラッチと小開口部の戸先側に設けられたラッチ受けが係合するので、第二扉で小開口部を閉じた状態を維持できる。さらに、一つのラッチで、第一形態と第二形態のそれぞれで、開口部を閉鎖した状態を維持できるので部品コストの低減は図れるだけでなく、第一形態でのラッチ解除と、第二形態でのラッチ解除が同じ操作具の操作により可能なので扉の開閉操作が容易である。
【図面の簡単な説明】
【００１１】
【図１】二開口部対応ドアユニットの使用状態での第一形態を示す平面図
【図２】二開口部対応ドアユニットの使用状態での第二形態を示す平面図
【図３】二開口部対応ドアユニットの扉の開閉軌跡を示す平面図
【図４】二開口部対応ドアユニットの第一形態での要部の水平断面図
【図５】二開口部対応ドアユニットの第二形態での要部の水平断面図
【図６】第一形態の二開口部対応ドアユニットのトイレ側からの立面図
【図７】第二形態の二開口部対応ドアユニットの居室側からの立面図
【図８】第二形態の二開口部対応ドアユニットの洗面側からの鉛直断面図
【図９】二開口部対応ドアユニットの第二形態での要部の鉛直断面図
【図１０】自閉装置が組みつけられた第二扉の概略図
【図１１】自閉装置の軌道を示す概略図
【図１２】第二扉の構成説明図
【発明を実施するための最良の形態】
【００１２】
交差する壁面のそれぞれに設けられた二つの開口部の一方の壁面の開口部が大開口部であって、他方の壁面の開口部が大開口部の開口幅より狭い開口幅の小開口部である二つの開口部を選択的に閉塞する二開口部対応ドアユニットにおいて、二開口部対応ドアユニットは、壁面の交差する箇所に設置される吊元枠に加え、大開口部を形成する枠体と小開口部を形成する枠体を備えるとともに、吊元枠と、吊元枠に回動可能に軸支される第一扉と、第一扉に回動可能に軸支される第二扉で構成し、該第一扉の吊元側の軸支部を中心軸に第一扉を小開口部と大開口部間で回動自在とし、第一扉と第二扉が部分的に重合し小開口部を閉じる第一形態と、第一扉と第二扉が直線的な連設形態にて第一扉と第二扉が協働で大開口部を閉じる第二形態とに変形可能とし、第二扉が第一扉に軸支される箇所を、第二扉の戸先側と戸尻側間で、かつ、第一形態で、小開口部の出入り方向における大開口部側と反対側に第一扉が位置するとともに、小開口部における大開口部側に第二扉が位置し、第一扉と第二扉が部分的に重合するように設定し、さらに、第二扉を、小開口部の開口幅より幅広に設定し、第二形態における第二扉の戸先側の上部で、大開口部を形成する上枠ユニットに、大開口部の開口幅方向に移動可能に、かつ、垂直回転軸を軸芯に回動可能に軸支し、第二形態における第二扉の戸先側が第一形態において、吊元枠から、大開口部の出入り方向における小開口部側の反対側に突出しないように構成することにより、異なる二つの開口部を選択的に閉じるようにする。
【実施例】
【００１３】
以下、本発明の実施例を添付図面に基づいて詳述する。
図1は、本発明の二開口部対応ドアユニットの使用状態での第一形態を示す平面図を示し、符号１００は、部屋の空間を仕切る第一壁面を示し、符号１０１は、第一壁面１００に設けられた小開口部を示し、符号２００は、部屋の空間を仕切る第二壁面を示し、符号２０１は、第二壁面２００に設けられた大開口部を示し、実施例においては、第二壁面２００に第一壁面１００が交差し、第二壁面２００と第一壁面１００でＴ字状の壁面を形成している。
便宜的に、小開口部１０１の出入り方向の大開口部側を洗面側、その対向側をトイレ側、そして、大開口部２０１の出入り方向の小開口部側を前記と同じく洗面側、その対向側を居室側と云う。
【００１４】
符号１は、第一壁面１００と第二壁面２００に交差部に立設される吊元枠を示し、符号２は、吊元枠１と離間して第一壁面１００に立設される小開口戸先枠を示し、符号３は、吊元枠１と小開口戸先枠２の上部を繋ぐ、小開口上枠を示し、吊元枠１と小開口戸先枠２と小開口上枠３が門型に組まれることにより、前記小開口部１０１が形成される。
そして、符号４は、前記吊元枠１と離間して第二壁面２００に立設される大開口戸先枠を示し、符号５は、吊元枠１と大開口戸先枠４の上部を繋ぐ、上枠ユニットを示し、吊元枠１と大開口戸先枠４と上枠ユニット５が門型に組まれることにより、前記大開口部２０１が形成される。
このように、吊元枠１は、小開口部１０１、大開口部２０１のそれぞれの開口枠を形成するものとして兼用される。
【００１５】
以下、吊元枠１側を戸尻側と云い、小開口戸先枠２、大開口戸先枠４側を戸先側と云う。
吊元枠１は、図４、５に示すように平面視において、吊元枠１の全体幅が居室側に広く、洗面側が狭くなるように、段付き状に形成されている。
詳述すると、吊元枠１は、平面視において、居室側におけるトイレ側面を形成する居室側見切り面１ａと、居室側見切り面１ａの居室側端から大開口部側に屈曲し居室側面を形成する居室側化粧面１ｂと、居室側化粧面１ｂの大開口部側端から洗面側に屈曲し大開口部の内面を形成する大開口吊元化粧面１ｃと、大開口吊元化粧面１ｃの洗面側端からトイレ側に段付き状に屈曲し吊元ヒンジ面を形成する吊元面１ｄと、吊元面１ｄのトイレ側端から小開口部側に屈曲し大開口部を形成する吊元化粧面１ｅと、吊元化粧面１ｅの小開口部側端からトイレ側に屈曲し小開口部の内面を形成する小開口吊元化粧面１ｆと、小開口吊元化粧面１ｆのトイレ側端から居室側に屈曲しトイレ側面を形成するトイレ側見切り面１ｇで形成されている吊元枠材１０と、吊元枠材１０の居室側見切り面１ａとトイレ側見切り面１ｇを連結する吊元補強片１１と、吊元枠材１０の大開口吊元化粧面１ｃと吊元補強片１１と吊元化粧面１ｅとを連結する吊元枠補強１２と、吊元枠材１０の吊元面１ｄに部分的に取り付けられている螺孔を有するヒンジ座１３で構成され、第二壁面内に設置されている補強枠２００ａと吊元補強片１１が鉄筋などを介して溶接あるいはネジ止めされることにより吊元枠１は固定される。
【００１６】
小開口戸先枠２は、平面視において、図４に示すように、洗面側でコ字状に形成される洗面側化粧突部２ａと、洗面側化粧突部２ａに対向してコ字状に形成されるトイレ側化粧突部２ｂと、洗面側化粧突部２ａとトイレ側化粧突部２ｂを小開口部１０１の内面側で連結する小開口戸先化粧面２ｃで形成され、横断面扁平形状の小開口部戸先基枠２１と、小小開口戸先化粧面２ｃの対向側で、洗面側化粧突部２ａとトイレ側化粧突部２ｂを連結する小開口戸先側補強片２２と、小開口戸先化粧面２ｃのトイレ側で、吊元枠１方向に突出するパネル状の袖枠２３で構成され、第一壁面内に設置されている補強枠１００ａと小開口戸先側補強片２２が鉄筋などを介して溶接されることにより小開口戸先枠２は固定される。また、パネル状の袖枠２３の吊元枠１側の端面には、後述するラッチ７４と係合する凹状の枠ラッチ受２３ａが設けられている。
【００１７】
小開口上枠３は、側面視において、図８に示すように、洗面側でコ字状に形成される洗面側上部化粧突部３ａと、洗面側上部化粧突部３ａに対向して洗面側上部化粧突部３ａより高いコ字状に形成されるトイレ側上部化粧突部３ｂと、洗面側上部化粧突部３ａとトイレ側上部化粧突部３ｂを小開口部１０１の内面側で連結する段付き形状の小開口上化粧面で形成される小開口部上基枠と、小開口上化粧面３ｃの対向側で、洗面側上部化粧突部３ａとトイレ側上部化粧突部３ｂを連結する上側補強片３２で構成され、第一壁面内に設置されている補強枠１００ａと上側補強片３２が鉄筋などを介して溶接あるいはネジ止めされることにより小開口上枠３は固定される。
【００１８】
大開口戸先枠４は、平面視において、図５に示すように、洗面側でコ字状に形成される洗面側化粧突部４ａと、洗面側化粧突部４ａに対向して洗面側化粧突部４ａより幅広のコ字状に形成される居室側化粧突部４ｂと、洗面側化粧突部４ａと居室側化粧突部４ｂを大開口部２０１の内面側で連結する大開口戸先化粧面４ｃで形成される大開口部戸先基枠４１と、大開口戸先化粧面４ｃの対向側で、洗面側化粧突部４ａと居室側化粧突部４ｂを連結する大開口戸先側補強片４２で構成され、第二壁面内に設置されている補強枠２００ａと大開口戸先側補強片４２が鉄筋などを介して溶接あるいはネジ止めされることにより大開口戸先枠４は固定される。
【００１９】
上枠ユニット５は、図９で示すように大開口上枠基枠５０と洗面側固定ランマ５１と、自閉装置レール部材５２と支持レール体部材５３で構成されている。
大開口上枠基枠５０は、水平視縦断面略下向きコ字型に形成され、大開口戸先枠４と吊元枠１間に納まる長さとされ、居室側に点検パネル５００の上部を挟持する挟持片５０ａが溶接固定されるものであって、上枠ユニット５の戸先側と戸尻側がそれぞれ、大開口戸先枠４と吊元枠１にネジにて固定されるとともに、大開口上枠基枠５０の上面と第二壁面内に設置されている補強枠２００ａに鉄筋などを介して溶接あるいはネジ止めされることにより大開口上枠基枠５０は固定される。
【００２０】
洗面側固定ランマ５１は、取り付け状態で大開口部２０１の洗面側の上方に配設される表面板５１ａと、前表面板８１の上部に形成された、大開口上枠基枠５０に下方から挿入する上部支持突片５１ｂと、表面板５１ａの下部に形成された大開口部２０１の内面を形成する下化粧部５１ｃと、表面板５１ａの戸先側端部と戸先側が居室側に屈曲し形成された固定片５１ｄ、５１ｄと表面板５１ａの内面に表面板５１ａと略同じ幅に形成され固定されるレール取り付け部５１ｅで形成されている。
そして、洗面側固定ランマ５１は、固定片５１ｄ、５１ｄ部で、吊元枠１の小開口吊元化粧面１ｆ、大開口戸先枠４の大開口戸先化粧面４ｃにネジにて固定され設置される。
【００２１】
自閉装置レール部材５２は、レール取り付け材５２１とレール材５２２で構成される。
側面視において、レール取り付け材５２１は、鉛直面の基部５２１ａと、基部５２１ａから居室側に突出する載置部５２１ｂで断面Ｌ字状を成し、洗面側固定ランマ５１の左右幅の略半分の長さに形成される。
レール材５２２は、上面が円弧状とされた上向き凸状の長尺部材であって、レール取り付け材５２１と略同じ長さに設定されている。
【００２２】
そして、自閉装置レール部材５２は、２体用意され、２体の支持レール体５２、５２は、図１１に示すように、正面視において、洗面側固定ランマ５１のレール取り付け部５１ｅに洗面側固定ランマ５１の左右方向（戸先側、戸尻側方向）の略中心部で対向して、かつ、２体の自閉装置レール部材５２、５２はそれぞれ、該中心部を頂点に、戸先側と戸尻側に下がるように傾斜して取り付けられる。
【００２３】
支持レール体５３は、洗面側レール部材５３１と居室側レール部材５３２で構成されている。
洗面側レール部材５３１は、側面視で居室側が開口する断面コ字状の洗面側走行部５３１ａを有し、洗面側固定ランマ５１の左右幅と同じ長さに形成される。
居室側レール部材５３２は、洗面側レール部材５３１と対向して、側面視で洗面側が開口する断面コ字状の居室側走行部５３２ａを有し、同じく、洗面側固定ランマ５１の左右幅と同じ長さに形成される。
そして、洗面側レール部材５３１と居室側レール部材５３２は、対向して、かつ、間隔を空けた状態で吊元枠１、大開口戸先枠４の間にネジにて水平に着脱自在に固定され設置される。
【００２４】
点検パネル５００は、大開口部２０１の居室側の上方全幅に渡って着脱自在に取り付けられる横長パネル状を成し、大開口上枠基枠５０の居室側面部で、大開口上枠基枠５０と挟持片５０ａ間に、下方から差し込まれる上部支持突片５０１が上端部に形成され、大開口戸先枠４と吊元枠１に設けられた、螺孔を有する点検パネル取付用突片（図示せず。）に居室側から取付けネジにて着脱自在に取り付けられている。
【００２５】
第一扉６は、主に縦長長方形で内部に中空部を持つパネル状の開口閉塞体６１と、角パイプ状で水平方向に伸びる支持アーム６２、６２、６２を上下方向に所定の間隔に有して配置する支持アーム体６２１で構成される。
【００２６】
支持アーム体６２１は、三本の支持アーム６２、６２、６２と、それぞれの支持アーム６２の左右の両端側それぞれにネジ止めされる蝶番６３、６３と、支持アーム６２、６２、６２を縦方向に連結するフラットバー状の縦支持杆６４、６４で構成され、三本の支持アーム６２、６２、６２を上下方向に所定の間隔に有して配置し、支持アーム６２、６２、６２のそれぞれの戸先側と戸尻側が縦支持杆６４、６４によって連結される。
このように組み立てられた支持アーム体６２１は、図７に示すように開口閉塞体６１の上部、中間部、下部それぞれに設けられた複数の螺孔６１ａ・・・を使って支持アーム体６２１の支持アーム６２、６２、６２がネジ止めされる。支持アーム６２には、該螺孔６１ａに対応して、貫通孔６２ａが設けられている。尚、貫通孔６２ａはキャップなどによって適宜閉塞される。
また、開口閉塞体６１の戸先側端面には、後述する第二扉７のラッチ７４に対応して凹状の扉ラッチ受６１ｂが設置される。
このようにして第一扉６は組み立てたれる。
【００２７】
第二扉７は、図１２で示すように、主に四方枠７１と、四方枠の７１の内空部に配置されるペーパーコア７２と、四方枠７１を両面から挟む板状のドアパネル体７３、７３で構成される。
四方枠７１は、大開口部２０１での戸先側（図１２における左側）となる戸先縦枠７１１と、大開口部２０１での戸尻側となる戸尻縦枠７１２と、戸先縦枠７１１と戸尻縦枠７１２の上部を連結する上横枠７１３と、戸先縦枠７１１と戸尻縦枠７１２の下部を連結する下横枠７１４と、戸先縦枠７１１の戸尻側に取り付けられる中空状の自閉装置収納枠７１５と、四方枠７１の戸先、戸尻方向の間で、上横枠７１３と下横枠７１４を連結する蝶番固定用螺孔７１６ａを有する蝶番補強枠７１６で構成される。
蝶番固定用螺孔７１６ａは、第二扉７の大開口部２０１を閉じた状態での居室側面に設けられたており、ドアパネル体７３にも蝶番固定用螺孔７１６ａに対応して貫通孔が設けられている。
【００２８】
第二扉の大開口部を閉じた状態での戸尻側端面に、操作具７５の操作により進退可能なラッチ７４が設置され、洗面側の蝶番固定用螺孔７１６ａの対向する位置にハンドル７６が設置され、戸先側端面に衝撃緩衝用の戸当り材７７が取り付けられている。
【００２９】
自閉装置８は、図１０で示すように支持座８１と、回動軸８２と、スライダー８３と、コイルばね８４と、自閉滑車体８５で構成される。
支持座８１は、鉛直方向に伸びる筒状の支持部８１ａと、支持部８１ａの下端で対向して水平方向に延伸する取り付け座８１ｂで形成されている。
回動軸８２は、鉛直方向に伸びる丸棒状であって、下部にフランジ８２ａを備え、上部に水平方向に貫通するピン孔８２ｂが設けられる。
スライダー８３は、鉛直方向に伸びる筒状の円筒部８３ａと、円筒部８３ａの下面に取り付けられるローラー座８３ｂと、ローラー座８３ｂの両側に水平向きの回転軸周りで回転可能に取り付けられているローラー８３ｃ、８３ｃ、８３ｃ、８３ｃで構成されている。
コイルばね８４は、巻きばねであって、内孔部に回動軸８２が挿通可能な大きさに設定されている。
【００３０】
自閉滑車体８５は、Ｌ字アングル状の自閉滑車基体８５１と、レール材５２２上を転動可能に外周に凹溝８５２ａを有した自閉ローラー８５２と、自閉滑車基体８５１の下部の水平面で、鉛直回転軸を回転軸として回転可能に取り付けられる連結軸受け８５３で構成されるものである。
【００３１】
このような部材で構成される自閉装置８は、次のように組み立てられている。
コイルばね８４の下面からコイルばね８４の内孔に、回動軸８２の上部から挿入し、コイルばね８４の下面がフランジ８２ａに当接させる。そして、回動軸８２の上部から、回動軸８２を支持座８１の支持部８１ａの内孔に挿入する。この状態で、取り付け座８１ｂとコイルばね８４の上面が当接し、支持座８１は、回動軸８２を回転軸として回転可能で上下方向に移動可能となる。
次に、支持座８１と同様に、回動軸８２の上部から、スライダー８３の円筒部８３ａの内孔に挿入する。この状態で、スライダー８３下面と支持座８１の上面が当接し、支持座８１と同様に、スライダー８３は、回動軸８２を回転軸として回転可能で上下方向に移動可能となる。
そして、回動軸８２の上部に、自閉滑車体８５の連結軸受け８５３を差し込む。連結軸受け８５３には、回動軸８２が挿入可能な挿入孔と、回動軸８２のピン孔８２ｂに対応した貫通孔が設けられており、該貫通孔とピン孔８２ｂにピンを差込むと、回動軸８２から自閉滑車体８５が外れないようになる。
この状態で、自閉滑車体８５は、連結軸受け８５３を回動軸として、回転可能に回動軸８２に取り付けられる。
このようにして、自閉装置８は組み立てられている。
【００３２】
次に各部材がこのように構成された二開口部対応ドアユニットの組み立て方法について説明する。
前述のように、第一壁面１００の開口部に設置された吊元枠１と小開口戸先枠２と小開口上枠３の枠体で小開口部１０１が形成され、第二壁面２００の開口部に設置された吊元枠１と大開口戸先枠４と上枠ユニット５の枠体で大開口部２０１が形成される。
【００３３】
次に第一扉６の支持アーム体６２１の戸先側の蝶番６３、６３、６３を、第二扉７の蝶番固定用螺孔７１６ａにネジ止めする。この状態で、第一扉６と第二扉７は、戸先側の蝶番６３の回転軸を軸として回動可能となる。尚、該ネジ止め部は、カバー材６５で覆うなどして適宜化粧を行う。
【００３４】
そして、第二扉７の大開口部２０１を閉じた状態での戸先側の自閉装置収納枠７１５の上方より、自閉装置８を挿入する。そして、自閉装置８の取り付け座８１ｂを第二扉７の上横枠７１３にネジにて固定する。この状態で、自閉装置８の支持座８１は不動となり、自閉装置８の回動軸８２が支持部８１ａを軸として回転、かつ、コイルばね８４の付勢力に抗しながらの上方へ移動が可能となる。
また、回動軸８２の下部は自閉装置収納枠７１５に設けられた支持部に回転自在、かつ、上下移動可能に支持されており、回動軸８２の上下移動可能の振れを防止している。
【００３５】
このように組み立てられた第一扉６と第二扉７を、前述の壁面に組みつけられた枠部材に取り付ける方法を説明する。
第一扉６の支持アーム体６２１の戸尻側の蝶番６３、６３、６３を、吊元枠１の吊元面１ｄにネジ止めする。この時、吊元面１ｄには、螺孔を有するヒンジ座１３が取り付けられているから、蝶番６３、６３、６３は、該螺孔を利用して固定される。
この状態で、第一扉６は、戸尻側の蝶番６３の回転軸を軸として回動可能となる。
【００３６】
次に、上枠ユニット５の居室側レール部材５３２を、ネジを緩めて一旦取り外し、第二扉７の自閉装置８のスライダー８３の洗面側固定ランマ５１側のローラー８３ｃを、上枠ユニット５の洗面側走行部５３１ａに挿入し、自閉滑車体８５を上に押し上げ自閉ローラー８５２をレール材５２２上に載置する。尚、自閉滑車体８５を上に押し上げる際には、回動軸８２が自閉滑車体８５に連結されているから、コイルばね８４の付勢力に抗しながらの上方へ押し上げることになるが、自閉ローラー８５２をレール材５２２上に載置するとコイルばね８４の付勢力により、自閉滑車体８５は下方に押し下げされる。
また、自閉ローラー８５２には、外周に凹溝８５２ａが設けられているため、凹溝８５２ａにレール材５２２がはまり込み、自閉ローラー８５２はレールの長尺方向にのみ移動可能となる。
そして、居室側レール部材５３２を取り付ける。この時、スライダー８３の居室側レール部材５３２側のローラー８３ｃを、居室側走行部５３２ａに挿入する。
最後に、点検パネル５００を所定の位置に固定して、第一扉６と第二扉７は取り付けられる。
【００３７】
この状態で、第二扉７の開閉動作に合わせて、スライダー８３は、ローラー８３ｃが洗面側走行部５３１ａ、居室側走行部５３２ａを走行かつ案内されながら、大開口部２０１の開口幅方向に移動可能となる。また、自閉滑車体８５は、自閉ローラー８５２がレール材５２２上を走行かつ案内されながら、大開口部２０１の開口幅方向に移動可能となる。
【００３８】
次に扉（第一扉６と第二扉７）の開閉について説明する。
まず、第一扉６と第二扉７が取り付けられた状態で、第一扉６と第二扉７が直線状に並び大開口部２０１を閉じた図２の状態となる。
この時、第二扉７のラッチ７４と第一扉６の扉ラッチ受６１ｂは係合状態にあり、第一扉６と第二扉７は直線状に並んだ状態が維持され、第一扉６は蝶番６３を軸に回動可能ではあるが、第二扉７の戸先側の上部で、自閉装置８で規制されるので、第一扉６が回動方向には動かない。
【００３９】
次に、洗面側から操作具７５を操作し、ラッチ７４と扉ラッチ受６１ｂの係合状態を解除し、操作具７５、もしくはハンドル７６を洗面側に引くと、第二扉７が自閉装置８の回転軸８２を軸芯として第二扉７の戸尻側が洗面側に回動する。
この時、第一扉６と第二扉７は蝶番６３で連結されているから、第一扉６も吊元枠１側の蝶番６３を回転軸として回動する。第一扉６が回動すると、第二扉７が吊元枠１側に引っ張られるので、第二扉７の自閉装置８ととともにスライダー８３が戸尻側に移動する。
そして、操作具７５、もしくはハンドル７６を引き続けると、第一扉６と第二扉７が重合状態となり、操作具７５、もしくはハンドル７６を引く動作から押す動作に変えると小開口部１０１を閉じた状態となる。
この一連の動きは図３で示しており、図３における矢印Ａは、第二扉７の戸尻側の動きを示し、矢印Ｂは第二扉７の戸先側の軸支部（スライダー８３）の動きを示している。
【００４０】
小開口部１０１を閉じた状態では、第一扉６と第二扉７は平行に重合し、大開口部２０１を閉じた状態での第二扉７の戸尻側は、戸先側に変化する。そして、ラッチ７４と枠ラッチ受２３ａが係合する。
そして、小開口部１０１を閉じた状態から扉を開放するには、洗面側から操作具７５を操作し、ラッチ７４と枠ラッチ受２３ａの係合状態を解除し、操作具７５、もしくはハンドル７６を洗面側に引くと、大開口部２０１を閉じた状態から開放する作用と逆の作用で扉は開放する。
このようにラッチ７４、操作具７５は、小開口部１０１を閉じた状態と大開口部２０１を閉じた状態でともに利用される。
【００４１】
本実施例による使い方では、通常、小開口部１０１を閉じた状態で、二開口部対応ドアユニットが使用される。すなわち、小開口部１０１を閉じた状態が第一形態であり、第一形態では、トイレの便器を隠し、居室と洗面所を一体的に使用することができる。
そしてトイレを使用するときには、操作具７５、ハンドル７６を操作し、大開口部２０１を閉じた状態として、一時的に洗面所とトイレをあわせた洗面トイレとして使用する。すなわち、大開口部２０１を閉じた状態が第二形態である。
【００４２】
第二扉７を、小開口部１０１の開口幅より幅広に設定し、第一扉６と第二扉７の蝶番の連結側をトイレ側（居室側）にすると、第一形態において、第一扉６より洗面側に第二扉７が位置するので、第一形態において、第一扉６が第二扉７の影に隠れたように小開口部１０１の洗面側に第二扉一枚が露呈している状態で凹凸の少ない壁面のように使用することができる。
そして、第二扉７の回転軸８２の位置を、第二形態における第二扉７の戸先側に寄せることにより、第一形態において、第二形態における第二扉７の戸先側が、第一形態において、吊元枠の大開口部２０１の出入り方向における小開口部１０１側の反対側に突出しない。そのため、第一形態の状態で、本二開口部対応ドアユニットが設置されている部屋を使用しても、第二扉の第一形態における戸尻側が居室側に突出しないため邪魔にならず、第一形態を基本形態として部屋を使用するには使い勝手が良い。
【００４３】
前述のように、第一扉６と第二扉７との回動軸部が第二扉７の戸先と戸尻間に設定されているので、
小開口部１０１の開口幅に合わせて第二扉７の幅の設定を行い、大開口部２０１を閉じる時の足らず分を第一扉６の開口閉塞体６１の幅設定で調整することができる。
そのため、小開口部と大開口部の幅設定の自由度を増やすことが可能である。
【００４４】
自閉装置８の作用について説明する。
自閉装置８の自閉ローラー８５２は、前述の扉の開閉動作に合わせて、レール材５２２上を転動しながらスライダー８３と同様に移動する。
この時、図１１に示すようにレール材５２２は傾斜して取り付けられているので、レール材５２２の傾斜に沿って、自閉ローラー８５２は上下動する。
自閉ローラー８５２が上昇すると、回転軸８２がコイルばね８４の付勢力に抗しながらの上方へ押し上げられることになるから、扉の開閉操作を止めると、コイルばね８４の付勢力によって、自閉ローラー８５２は、レール材５２２の傾斜に沿って移動しながら下降する。
【００４５】
レール材５２２は、２体の自閉装置レール部材５２、５２に合わせて、２体のレール材５２２は、それぞれ、該中心部を頂点に、戸先側と戸尻側に下がるように傾斜して取り付けられるから、扉の開閉操作を止めると自閉ローラー８５２は、傾斜に沿って戸先側と戸尻側の何れかにもどるようになる。
自閉ローラー８５２が戸先側に位置しているところ（図１１（ニ））、すなわち、大開口部２０１を閉じた状態から、扉を開閉操作すると、自閉ローラー８５２は上昇しながら戸尻側に移動する（図１１（ハ））。そして、レール材５２２の頂点部を越える前で扉の開閉操作を止めると、自閉ローラー８５２は戸先側に戻るので扉で大開口部２０１を閉じた状態に戻る。
自閉ローラー８５２がレールの頂点部を越えたところで扉の開閉操作を止めると（図１１（ロ））、自閉ローラー８５２は戸尻側に進むので扉で小開口部１０１を閉じた状態となる（図１１（イ））。尚、レール材５２２の傾斜角度を調整することにより、自閉スピードが調整できる。
自閉装置はこのような機構ではなく、一般的に使用されている開扉用のドアクローザーを第一扉６の開口閉塞体６１の上部と小開口上枠３に連結させて、自閉させる方法でもよい。
【００４６】
操作具７５やハンドル７６は、第二形態における居室側にも取り付けてもよい。
本実施例では、支持アーム体６２１に３本の支持アーム６２を使用しているが、中間の支持アーム６２は、支持アーム体６２１のねじれを防止するとともに、扉の開閉途中に支持アーム体６２１部分に人が入らないようにするためのものでありから、第一扉６の支持アーム体６２１はパネル状に形成してもよい。
また、適宜、第二形態の状態から扉を開放する緊急開放機能を設けるとよい。この場合、回転軸部分で上枠ユニットと第二扉を分離できる方法にすると、扉は吊元枠側の蝶番を回転軸として回動させることができる。
当然ながら、自閉装置８と組み合わせて扉の開閉速度を制御するブレーキ装置を採用することもできる。
小開口戸先枠２の袖枠２３の幅によって、トイレスペースと小開口部１０１幅との調整を行っているが、袖枠２３を設けずとも建築側の壁体で調整を行ってもよい。この場合、小開口部戸先基枠２１に枠ラッチ受が設けられる。
本件二開口部対応ドアユニットが設置される小開口部を有する壁と、大開口部を有する壁は、必ず直角に交差しなければならないことはない。
【符号の説明】
【００４７】
１        吊元枠
２        小開口戸先枠
２３      袖枠
２３ａ    枠ラッチ受
３        小開口上枠
４        大開口戸先枠
５        上枠ユニット
５０      大開口上枠基枠
５１      洗面側固定ランマ
５２      自閉装置レール部材
５２１    レール取り付け材
５２２    レール材
５３      支持レール体
５３１    洗面側レール部材
５３１ａ  洗面側走行部
５３２    居室側レール部材
５３２ａ  居室側走行部
５００    点検パネル
６        第一扉
６１      開口閉塞体
６１ａ    螺孔
６１ｂ    扉ラッチ受
６２      支持アーム
６２１    支持アーム体
６３      蝶番
６４      縦支持杆
７        第二扉
７１      四方枠
７１１    戸先縦枠
７１２    戸尻縦枠
７１３    上横枠
７１４    下横枠
７１５    自閉装置収納枠
７１６    蝶番補強枠
７１６ａ  蝶番固定用螺孔
７３      ドアパネル体
７４      ラッチ
７５      操作具
７６      ハンドル
８        自閉装置
８１      支持座
８１ａ    支持部
８１ｂ    取り付け座
８２      回動軸
８２ａ    フランジ
８３      スライダー
８３ａ    円筒部
８３ｂ    ローラー座
８３ｃ    ローラー
８４      コイルばね
８５      自閉滑車体
８５１    自閉滑車基体
８５２    自閉ローラー
８５２ａ  凹溝
８５３    連結軸受け
１００    第一壁面
１００ａ  補強枠
１０１    小開口部
２００    第二壁面
２００ａ  補強枠
２０１    大開口部
【図１】
2019124006.tif 000003
【図２】
2019124006.tif 000004
【図３】
2019124006.tif 000005
【図４】
2019124006.tif 000006
【図５】
2019124006.tif 000007
【図６】
2019124006.tif 000008
【図７】
2019124006.tif 000009
【図８】
2019124006.tif 000010
【図９】
2019124006.tif 000011
【図１０】
2019124006.tif 000012
【図１１】
2019124006.tif 000013
【図１２】
2019124006.tif 000014
【手続補正書】
【提出日】平成30年4月17日(2018.4.17)
【手続補正１】
【補正対象書類名】図面
【補正対象項目名】図５
【補正方法】変更
【補正の内容】
【図５】
2019124006.tif 000015